(57)【特許請求の範囲】
【請求項１】
パネルと、該パネルに始端と終端とが間隔をなして不連続部分とされ、該始端から該終端まで連続して破断開口形状に刻設した開口用スコアと、該開口用スコアによって包囲形成された破断開口片と、該破断開口片に臨む先端部と把持部である後端部とを有しパネルの上面にリベットにより固着された開口用タブとを備え、該開口用タブの先端によって前記スコアを破断しつつ前記破断開口片を押し下げて開口すると共に該破断開口片の一部が不連続部分によりパネルに繋がった状態でパネル内方に折り込まれるステイオンタブ式缶蓋において、
前記開口用スコアの不連続部分における該開口用スコアの始端と終端とを結ぶ直線に交差するビードを設けたことを特徴とするステイオンタブ式缶蓋。
【請求項２】
前記破断開口片が開口用タブの先端により押し下げられて前記開口用スコアの破断によりパネル内方に折り曲げられるとき、前記ビードの破断開口片側の先端に沿って折り目が形成されることを特徴とする請求項１記載のステイオンタブ式缶蓋。
【発明の詳細な説明】
【０００１】
【産業上の利用分野】
本発明は、缶入り飲料の飲み口等を容易に開口することができるステイオンタブ式缶蓋に関する。
【０００２】
【従来の技術】
ステイオンタブ式缶蓋は、パネルの開口形状に沿って刻設されたスコアと、該パネル上にリベットを介して取付られたタブとを備えており、開口時には、タブの先端を介してスコアに囲繞された破断開口片を缶胴内方に押し込むことによって、破断開口片がパネルから離反して開口される。このとき、スコアは不連続に設けられているため、該不連続部分においては破断されず、破断開口片は一部がパネルに繋がった状態で缶胴内部に押し込まれる。
【０００３】
ところで、この種のステイオンタブ缶蓋は、主に炭酸飲料、ビール、液体窒素充填飲料等の缶詰に採用されることが知られているが、これらの缶詰は内圧が通常２〜３Kg/cm2と比較的大きく、特に高い温度の雰囲気に放置されると、その内圧は６〜７Kg/cm2と極めて大きなものとなる。このように内圧が高い状態で開口操作を行うと、リベット近傍のスコアが初期破断された瞬間に高い内圧によって破断開口片が押し上げられ、急激にスコア全周の破断が行われるだけでなく破断開口片がパネルの上方に跳ね上がって開口されることがあった。そして、このような開口時にスコアの不連続部分に異常な開口力が付与されることもあり、それによって不連続部分に亀裂が生じ、更には破断開口片がパネルから完全に離反して脱落するおそれがあった。
【０００４】
【発明が解決しようとする課題】
かかる不都合を解消して、本発明は、開口容易性を損なうことなく破断開口片がパネルの上方に向かって折れ曲がることを抑制し、比較的内圧の高い内容物を収容する缶詰に好適なステイオンタブ式缶蓋を提供することを目的とする。
【０００５】
【課題を解決するための手段】
かかる目的を達成するために、本発明は、パネルと、該パネルに始端と終端とが間隔をなして不連続部分とされ、該始端から該終端まで連続して破断開口形状に刻設した開口用スコアと、該開口用スコアによって包囲形成された破断開口片と、該破断開口片に臨む先端部と把持部である後端部とを有しパネルの上面にリベットにより固着された開口用タブとを備え、該開口用タブの先端によって前記スコアを破断しつつ前記破断開口片を押し下げて開口すると共に該破断開口片の一部が不連続部分によりパネルに繋がった状態でパネル内方に折り込まれるステイオンタブ式缶蓋において、前記開口用スコアの不連続部分における該開口用スコアの始端と終端とを結ぶ直線に交差するビードを設けたことを特徴とする。
【０００６】
また、本発明においては、前記破断開口片が開口用タブの先端により押し下げられて前記開口用スコアの破断によりパネル内方に折り曲げられるとき、前記ビードの破断開口片側の先端に沿って折り目が形成されることを特徴とする。
【０００７】
【作用】
本発明は、前記開口用スコアの不連続部分であって該開口用スコアの始端と終端とを結ぶ直線に交差するように前記ビードを設けて不連続部分の折り曲げ強度を向上する。特に、亀裂が生じやすい開口用スコアの始端と終端とでは、前記ビードを設けることで前記不連続部分に付与される開口力の集中を拡散し、当該位置での亀裂の発生を防止する。
【０００８】
また、缶蓋の開口時には、破断開口片がパネル内方に折り曲げられるが、このとき、前記ビードが設けられた部分では折り曲げ強度が高いため、該ビードの破断開口片側の先端に沿って折り目が形成される。従って、例えばビードをその破断開口片側の先端を所望する位置に延出させて形成することにより、折り目を所望する位置に形成させることが可能となる。
【０００９】
【実施例】
本発明の実施例を図面に基づいて説明する。図１は本実施例の缶蓋を示す平面図、図２は図１の缶蓋におけるビードの形状及びビードとスコアとの位置関係を示す概略説明図、図３（ａ）は図２の III-III線断面説明図、図３（ｂ）乃至図３（ｄ）は図３（ａ）の他の例を示す説明図、図４（ａ）及び図４（ｂ）は缶蓋開口時の破断開口片の折り目を説明するためのビード先端の説明的断面図、図５（ａ）乃至図５（ｅ）は夫々他の実施例の缶蓋におけるビードの形状及びビードとスコアとの位置関係を示す概略説明図である。
【００１０】
図１において、１は本実施例のステイオンタブ式缶蓋であり、２はタブ、３は舌片４を介してタブ２をパネル５上に固着するリベット、６は開口形状に沿ってパネル５に刻設された破断可能な開口用スコア、７はスコア６に囲繞されて開口を形成する破断開口片である。開口用スコア６は、その始端６ａと終端６ｂとに間隔が形成されており、ここが不連続部分８とされている。該不連続部分８には一対のビード９，９が形成されている。夫々のビード９，９は、開口用スコア６の始端６ａ、及び終端６ｂに沿って平面視弯曲形状に形成されている。
【００１１】
また、開口用スコア６は、その内周に沿って平行して設けられた補助スコア１０を始端６ａから連続して備えるが、補助スコア１０は破断されるものではなく開口用スコア６の破断を補助的に促すものである。開口用スコア７の外周の一部、破断開口片７の外周及び中央部には夫々パネル５上に突出する補強用ビード１１が形成されている。
【００１２】
また、タブ２の後端部にリング状に形成された把持部２ａに対応する位置のパネル５には、把持部２ａに手指等を掛け易くするための凹部５ａが形成されている。更に、タブ２の舌片４に形成された係止穴４ａに対応するパネル５上には、該係止穴４ａに係合してタブ２のリベット３を軸とする回転を防止する凸部５ｂが形成されている。
【００１３】
図２は説明の便宜上図１に示したスコア６，１０、リベット３、ビード９，９のみを示し、タブ２についてはその一部を仮想線示したが、前記ビード９，９は、図２に示すように、前記開口用スコア６の始端６ａと終端６ｂとを結ぶ直線（図中破線ｘにて示す）に交差して設けられている。また、図３（ａ）に一方のビード９の断面視形状を示すように、前記ビード９，９は何れもパネル５上に突出して形成されている。詳しくは後述するが、ビード９，９によってスコア６の不連続部分８の折り曲げ強度を向上させることができる。
【００１４】
なお、前記ビード９，９の断面視形状はこれに限られるものでなく、図３（ｂ）に示すように緩やかに膨出して形成されていてもよく、或いは、図３（ｃ）に示すように凹状に形成されていてもよい。更にまた、図３（ｄ）に示すようにパネル５を押圧成形してパネル材料の密度を高くすることにより、パネル５上に突出するビード９，９に相当する折り曲げ強度をスコア６の不連続部分８に付与するようにしてもよい。
【００１５】
また、図２に示すように、前記ビード９，９の破断開口片７側の先端９ａは、前記開口用スコア６の始端６ａと終端６ｂとを結ぶ直線（破線ｘ）から破断開口片７側に延出して後述する所望折曲位置（図中破線ｙにて示す）に至っている。
【００１６】
本実施例の缶蓋の開口作業においては、図１を参照して、タブ２の把持部２ａを上方に引き上げることによってタブ２の先端２ｂが破断開口片７を押し下げる。これによって、開口用スコア６は破断開始位置６ｃからその全周が破断され、同時に破断開口片７が内方に折れ曲がって開口作業が完了する。
【００１７】
このとき、スコア６の不連続部分８においては、図４（ａ）に示すように、ビード９の先端９ａが所望折曲位置ｙに隣接している。このため、破断開口片７が内方に折り曲げられる際には、図４（ｂ）に示すように、所望折曲位置ｙに沿って折り目ｚが形成される。一方、開口用スコア６の始端６ａと終端６ｂとを結ぶ直線ｘの位置においては、ビード９による折り曲げ強度の向上により折り目が形成されることがない。このように、前記ビード９，９を設けたことにより、従来亀裂が生じやすかった開口用スコア６の始端６ａと終端６ｂとにおいては、始端６ａと終端６ｂとを結ぶ直線ｘに沿って折り曲げられることがなく、更に、前記不連続部分８に付与される開口力の集中が該ビード９，９によって拡散されるので、始端６ａ及び終端６ｂでの亀裂の発生を防止することができる。
【００１８】
更に、本実施例の缶蓋１を設けた缶詰（図示せず）の内圧が高い状態で缶蓋１の開口操作を行った場合に、高い内圧によって破断開口片７が押し上げられても、ビード９，９による折り曲げ強度の向上により、破断開口片７がパネル５の上方に跳ね上がることを防止することができる。
【００１９】
そして、破断開口片７がスコア６の破断によりパネル５内方に折り曲げられるとき、前記ビード９の破断開口片７側の先端９ａに沿って折り目ｚが形成される。従って、ビード９の先端９ａを延出の度合いによって、折り目ｚ（所望折曲位置ｙ）を所望する位置に容易に設けることができる。そしてビード９，９によって、折り目ｚを、前記開口用スコア６の始端６ａと終端６ｂとを結ぶ直線ｘを回避して、しかも開口時の破断開口片７の内方への折り曲げが容易な位置に形成するようにすることができる。
【００２０】
なお、本実施例においては、開口用スコア６の始端６ａ、及び終端６ｂに沿って平面視弯曲形状に形成されている一対のビード９，９について説明したが、スコア６の不連続部分８においてスコア６の始端６ａと終端６ｂとを結ぶ直線ｘに交差し、破断開口片７側の先端９ａが所望折曲位置ｙに隣接していれば、ビード９の数や平面視形状はこれに限られるものではない。
【００２１】
例えば、図５（ａ）に要部以外を省略して説明的に示すように、破断開口片７の中央部に向かって単一のビード９を設ける。これによっても、ビード９は、スコア６の不連続部分８においてスコア６の始端６ａと終端６ｂとを結ぶ直線ｘに交差し、破断開口片７側の先端９ａが所望折曲位置ｙに隣接していることにより、上記の実施例と同様の効果を得ることができる。
【００２２】
また、図５（ｂ）に示す例においては、図５（ａ）に示したビード９と同一形状の一対のビード９，９を設けたものであり、ビード９，９がスコア６の不連続部分８においてスコア６の始端６ａと終端６ｂとを結ぶ直線ｘに交差し、破断開口片７側の先端９ａが所望折曲位置ｙに隣接していることにより、上記の実施例と同様の効果を得ることができる。
【００２３】
更に、図５（ｃ）に示すように、ビード９を、スコア６の不連続部分８においてスコア６の始端６ａと終端６ｂとを結ぶ直線ｘ上に設けてもよい。これにより、スコア６の不連続部分８における折り曲げ強度の向上を図ることができ、ビード９の破断開口片７側の側端９ａを所望折曲位置ｙに隣接させることにより、ビード９の破断開口片７側の側端９ａに沿って折り目を形成することができる。
【００２４】
また、図５（ｄ）に示すように、スコア６の不連続部分８において、スコア６の始端６ａと終端６ｂとの間に環状に形成されたビード９を設けてもよい。該ビード９においては、その一部がスコア６の始端６ａと終端６ｂとを結ぶ直線ｘに交差し、その破断開口片７側の一側９ａが所望折曲位置ｙに隣接している。従って、スコア６の不連続部分８における折り曲げ強度が向上し、該ビード９の一側９ａをかすめて折り目を形成することができる。
【００２５】
また、図５（ｅ）に示すように、図５（ｃ）に示したものと同一形状のビード９に加えて、所望折曲位置ｙを介した破断開口片７側にビード９´を設けてもよい。該ビード９´においては、スコア６の不連続部分８の折り曲げ強度を積極的に向上させるものではないが、ビード９とビード９´との間に所望折曲位置ｙが位置していることにより、開口時にはビード９とビード９´との間で確実に折り目を形成することができる。
【００２６】
そしてまた、図５（ａ）乃至図５（ｅ）に示した各ビード９の断面視形状については、図３（ａ）乃至図３（ｄ）に示す各形状のうち何れの形状に形成されていても上述した効果を得ることができることは、前記実施例と同様である。
【００２７】
【発明の効果】
以上のことから明らかなように、本発明は、前記開口用スコアの不連続部分にビードを設けることにより、不連続部分の折り曲げ強度を向上することができ、該ビードが、従来亀裂が生じやすかった開口用スコアの始端と終端とを結ぶ直線上の位置において、それに交差して設けられていることで前記不連続部分に付与される開口力の集中を拡散して亀裂の発生を防止することができる。従って、内圧が高い状態で開口操作を行なっても、破断開口片がパネルの上方に跳ね上がることなく、更に、不連続部分に亀裂が生じて破断開口片がパネルから離脱することを確実に防止することができるので、内圧が比較的高くなりがちな炭酸飲料、ビール、液体窒素充填飲料等の陽圧缶詰に好適のステイオンタブ式缶蓋を提供することができる。
【００２８】
また、缶蓋の開口時に破断開口片がパネル内方に折り曲げられたとき、前記ビードの破断開口片側の先端に沿って折り目が形成されるので、ビードの先端位置を適宜定めて、折り目を所望する位置に形成させることができ、更に、前記ビードによってスコアの不連続部分の折り曲げ強度が高くても、該ビードに隣接する位置に開口時の折り目を形成して容易に開口することができる。
【図面の簡単な説明】
【図１】本発明の実施例の缶蓋を示す平面図。
【図２】図１の缶蓋におけるビードの形状及びビードとスコアとの位置関係を示す概略説明図。
【図３】（ａ）は図２の III-III線断面説明図、（ｂ）乃至（ｄ）は（ａ）の他の例を示す説明図。
【図４】缶蓋開口時の破断開口片の折り目を説明するためのビード先端の説明的断面図。
【図５】他の実施例の缶蓋におけるビードの形状及びビードとスコアとの位置関係を示す概略説明図。
【符号の説明】
１…ステイオンタブ式缶蓋、２…タブ、３…リベット、６…開口用スコア、６ａ…スコアの始端、６ｂ…スコアの終端、７…破断開口片、８…スコアの不連続部分、９…ビード、９ａ…ビードの先端、ｚ…折り目。
【図１】
0003682999.tif 000002
【図２】
0003682999.tif 000003
【図３】
0003682999.tif 000004
【図４】
0003682999.tif 000005
【図５】
0003682999.tif 000006